(57)【要約】  【課題】  カバー体を筐体に対して開閉可能にして、操作性及び筐体の把持性を向上させる。  【解決手段】  デジタルカメラ１は、筐体２にグリップ部を設けたカバー体３を開閉可能に取り付ける。カバー体３を閉じた状態で覆われる部分に操作部を設けることで、不用意に操作部が操作されることを防止する。カバー体３を開いた状態では、自動的に給電を開始し、電源スイッチを操作することなしにスタンバイ状態にする。また、カバー体３にはシャッターボタンを設けると共に出入自在な挟持部材５を取り付け、挟持部材５を取り出した状態では、カバー体３を把持するユーザの指で挟持部材５を挟めるようにして、デジタルカメラ１の落下を防止すると共に、操作時の指の位置ズレを防止する。【選択図】      図３
2005338181.tif 000002
【特許請求の範囲】
【請求項１】
筐体の一部を覆う形状であり、グリップ部が設けてあるカバー体と、
該カバー体を開閉自在に前記筐体へ連結する連結手段と、
閉じた状態の前記カバー体で覆われる筐体部分に設けてある操作部と
を備えることを特徴とする携帯電気機器。
【請求項２】
筐体の一部を覆う形状であり、グリップ部が設けてあるカバー体と、
該カバー体を開閉自在に前記筐体へ連結する連結手段と
を備え、
前記カバー体は、グリップ部が設けてある箇所に出入自在な出入部材を有することを特徴とする携帯電気機器。
【請求項３】
筐体の一部を覆う形状であり、グリップ部が設けてあるカバー体と、
該カバー体を開閉自在に前記筐体へ連結する連結手段と、
閉じた状態の前記カバー体で覆われる筐体部分に設けてある操作部と
を備え、
前記カバー体は、グリップ部が設けてある箇所に出入自在な出入部材を有することを特徴とする携帯電気機器。
【請求項４】
前記筐体へ閉じた状態の前記カバー体を係止する第１係止手段と、
前記筐体から開いた状態の前記カバー体を係止する第２係止手段と
を備える請求項１乃至請求項３のいずれか一つに記載の携帯電気機器。
【請求項５】
前記筐体には、電池の装着部が設けてあり、
前記カバー体が筐体から開いた状態の検知を行う検知手段と、
該検知手段の検知に応じて前記装着部に装着された電池から給電を行う給電制御手段と
を備える請求項１乃至請求項４のいずれか一つに記載の携帯電気機器。
【請求項６】
前記カバー体に操作スイッチが設けてある請求項１乃至請求項５のいずれか一つに記載の携帯電気機器。
【請求項７】
撮像レンズ部及び電池の装着部が設けられた筐体の一部を覆う形状であり、グリップ部及び撮像スイッチが設けられたカバー体と、
該カバー体を回動して前記筐体に対して開閉できるように前記筐体へ連結する連結手段と、
閉じた状態の前記カバー体で覆われる筐体部分に設けてある操作部と、
前記筐体へ閉じた状態の前記カバー体を係止する第１係止手段と、
前記筐体から略９０度開いた状態の前記カバー体を係止する第２係止手段と、
前記カバー体が筐体から開いた状態の検知を行う検知手段と、
該検知手段の検知に応じて前記装着部に装着された電池から給電を行う給電制御手段と
を備え、
前記カバー体は、グリップ部が設けてある箇所に出入自在な出入部材を有することを特徴とする撮像装置。
【発明の詳細な説明】
【技術分野】
【０００１】
本発明は、不使用時に良好な携帯性を確保する一方、使用時には操作性及び筐体の把持性を高めた携帯電気機器及び撮像装置に関する。
【背景技術】
【０００２】
従来、携帯電気機器として音楽再生装置、撮像装置、映像表示機器、パーソナルコンピュータ、ＰＤＡ（Personal Digital Assistant）、及び携帯電話器等の様々な機器が存在する。これらの携帯電気機器は昨今、内部回路、各種デバイス、及び記録媒体等の小型化の進行に伴い機器自体も小型化が進行し、機器の筐体の外形寸法を小さく抑えて良好な携帯性が確保されている。
【０００３】
一方、小型化が進むと、それに反して機器の操作性及び使用時での機器の把持性等が悪化する。そのため、不使用時には筐体と一体化され、使用時には筐体から飛び出すようなグリップ部を設けた装置もある（特許文献１参照）。なお、機器の把持性は、デジタルカメラ、デジタルビデオカメラ、及び撮像機能を備えた各種撮像装置においてブレの無い良好な撮像を行うため特に重要となる。
【特許文献１】特開平１０−８３０２６号公報
【発明の開示】
【発明が解決しようとする課題】
【０００４】
特許文献１に係る装置では、グリップ部を単に筐体から出し入れ可能にしただけであるため、小型化された機器に設けられた操作スイッチとグリップ部との位置関係、及び不使用時の誤操作ついては特に考慮されていない。よって、グリップ部を出した状態では把持性を改善できても操作性は改善できず、また、グリップ部を収めて携帯する際に不用意に操作部が操作されてしまう事態を防止できないと云う問題がある。
【０００５】
さらに、特許文献１に係る装置では、グリップ部を把持するユーザの手、指を当てるような箇所、引っ掛けるような箇所等は設けられていないため、使用中に装置を落下させないようにユーザはグリップ部を常に強く把持しておく必要があり、把持に係る負担が大きいと云う問題がある。特に、グリップ部が設けられた装置が撮像装置であるときは、ユーザの手、指の位置がずれると折角のシャッターチャンスを逃がすおそれもあるため、グリップ部を把持するユーザの手、指の位置が動かないように配慮することは重要となる。
【０００６】
本発明は、斯かる問題に鑑みてなされたものであり、グリップ部を形成したカバー体で操作部が設けられた筐体部分を覆うようにすることで、携帯時及び不使用時等に操作部が不用意に操作されることを確実に防止した携帯電気機器及び撮像装置を提供することを目的とする。
また、本発明は、筐体に対して開閉するカバー体のグリップ部が形成された箇所に出入自在な挟持部材を設けることで、ユーザの把持負担を軽減すると共に、使用中にグリップ部を把持するユーザの手、指の位置がずれにくくした携帯電気機器及び撮像装置を提供することを目的とする。
さらに、本発明は、開状態及び閉状態のカバー体を夫々係止すること、カバー体の状態に応じて給電すること、及びカバー体に操作スイッチを設けることで、使用性及び操作性を一段と向上させた携帯電気機器及び撮像装置を提供することを目的とする。
【課題を解決するための手段】
【０００７】
上記課題を解決するために本発明に係る携帯電気機器は、筐体の一部を覆う形状であり、グリップ部が設けてあるカバー体と、該カバー体を開閉自在に前記筐体へ連結する連結手段と、閉じた状態の前記カバー体で覆われる筐体部分に設けてある操作部とを備えることを特徴とする。
【０００８】
また、本発明に係る携帯電気機器は、筐体の一部を覆う形状であり、グリップ部が設けてあるカバー体と、該カバー体を開閉自在に前記筐体へ連結する連結手段とを備え、前記カバー体は、グリップ部が設けてある箇所に出入自在な出入部材を有することを特徴とする。
【０００９】
さらに、本発明に係る携帯電気機器は、筐体の一部を覆う形状であり、グリップ部が設けてあるカバー体と、該カバー体を開閉自在に前記筐体へ連結する連結手段と、閉じた状態の前記カバー体で覆われる筐体部分に設けてある操作部とを備え、前記カバー体は、グリップ部が設けてある箇所に出入自在な出入部材を有することを特徴とする。
【００１０】
さらにまた、本発明に係る携帯電気機器は、前記筐体へ閉じた状態の前記カバー体を係止する第１係止手段と、前記筐体から開いた状態の前記カバー体を係止する第２係止手段とを備えることを特徴とする。
【００１１】
また、本発明に係る携帯電気機器は、前記筐体には、電池の装着部が設けてあり、前記カバー体が筐体から開いた状態の検知を行う検知手段と、該検知手段の検知に応じて前記装着部に装着された電池から給電を行う給電制御手段とを備えることを特徴とする。
さらに、本発明に係る携帯電気機器は、前記カバー体に操作スイッチが設けてあることを特徴とする。
【００１２】
本発明に係る撮像装置は、撮像レンズ部及び電池の装着部が設けられた筐体の一部を覆う形状であり、グリップ部及び撮像スイッチが設けられたカバー体と、該カバー体を回動して前記筐体に対して開閉できるように前記筐体へ連結する連結手段と、閉じた状態の前記カバー体で覆われる筐体部分に設けてある操作部と、前記筐体へ閉じた状態の前記カバー体を係止する第１係止手段と、前記筐体から略９０度開いた状態の前記カバー体を係止する第２係止手段と、前記カバー体が筐体から開いた状態の検知を行う検知手段と、該検知手段の検知に応じて前記装着部に装着された電池から給電を行う給電制御手段とを備え、前記カバー体は、グリップ部が設けてある箇所に出入自在な出入部材を有することを特徴とする。
【００１３】
本発明にあっては、筐体の一部に設けられた操作部をカバー体で覆うようにすることで、カバー体を閉じた状態では操作部は隠される。それにより、携帯時及び不使用時等に操作部はカバー体で遮られるため、携帯電気機器及び撮像装置が不用意に作動することを解消できる。
【００１４】
また、本発明にあっては、筐体に対して開閉自在なカバー体のグリップ部が設けられた箇所に出入自在な出入部材を設けることにより、カバー体を開いて出入部材を取り出せば、グリップ部を把持するユーザの手、指を出入部材に当てたり、引っ掛けたり、又は指の間に挟むこと等が可能となる。その結果、落下の危険性を低減でき、使用中におけるユーザの手、指の位置ズレにより生じる不具合も解消でき、特に撮像装置においては安定した撮像操作を行えるようになる。なお、携帯時及び不使用時等には出入部材をカバー体に入れた状態にすれば、出入部材がカバー体から突出しなくなり携帯電気機器及び撮像装置の携帯性が損なわれることもない。
【００１５】
さらに、本発明にあっては、筐体へ閉じた状態のカバー体、及び筐体から開いた状態のカバー体をそれぞれ係止できるようにすることで、不使用時及び携帯時等にカバー体が突然開くこと及び使用時にカバー体が閉じることを防止できるようになり、カバー体の開閉状態が安定する。
【００１６】
さらにまた、本発明にあっては、カバー体が筐体から開くことに連動して給電の制御を行うことにより、ユーザは電源スイッチを特に操作することなしに、カバー体の開閉で機器のスタンバイ状態及び電源オフ状態を切り替えることが可能になり、携帯電気機器及び撮像装置の使用性を一段と向上できる。
また、本発明にあっては、カバー体に操作スイッチを設けることにより、グリップ部を把持した状態で指先のみの動きで機器を操作できるようになり、特に撮像装置においては撮像スイッチを設けることにより撮像操作の向上を図れる。
【発明の効果】
【００１７】
本発明にあっては、操作部が設けられた筐体の一部をカバー体で覆う構成なので、不使用時及び携帯時等には操作部へのアクセスを物理的に不可能にして、携帯電気機器及び撮像装置の不用意な作動を確実に防止できる。
また、本発明にあっては、カバー体のグリップ部が設けられた箇所に出入自在な出入部材を設けることにより、携帯性を損ねることなしに操作を行うユーザの手、指の位置ズレを生じにくくして良好な操作性を確保できると共に、筐体把持に係る負担も軽減できる。
【００１８】
さらに、本発明にあっては、筐体へ閉じた状態のカバー体、及び筐体から開いた状態のカバー体をそれぞれ係止可能にすることで、カバー体がユーザの意思に反して開閉することを防止でき、カバー体の状態を安定に保つことができる。
さらにまた、本発明にあっては、カバー体が筐体から開くことに連動して給電の制御を行うことにより、ユーザは電源スイッチを特に操作することなしに、カバー体の開閉で電源のオン、オフを切り替えられ、携帯電気機器及び撮像装置の使用性を向上できる。
本発明にあっては、カバー体に操作スイッチを設けることにより、グリップ部を把持した状態で指先のみを動かせば携帯電気機器を操作でき、また、撮像装置においてはカバー体に撮像スイッチを設けることで良好な撮像操作性を提供できる。
【発明を実施するための最良の形態】
【００１９】
図１（ａ）（ｂ）及び図２は、本発明の第１実施形態に係る撮像装置であるデジタルカメラ１（携帯電気機器に相当）を示す斜視図である。デジタルカメラ１は、直方体状の筐体２の一端側にグリップ部を設けたカバー体３を開閉自在に連結しており、筐体２の前面２ａには撮像レンズ部４を設け、背面２ｃには撮像対象及び撮像した画像の表示等を行うモニタ部９及び複数のスイッチ及びボタン等からなる操作部１０を設けている。筐体２は、カバー体３が筐体２より出っ張らないように、カバー体３を取り付ける側の上面２ｂ、背面２ｃを少し窪ませた形状にしている。なお、図１（ａ）（ｂ）はカバー体３を筐体２から開いた状態を示し、図２はカバー体３を閉じた状態を示している。
【００２０】
カバー体３は、上板部３ａ、側板部３ｂ、及び下板部３ｃを有し、側方から見ると全体がカタカナの「コ」字状になっており（図２参照）、上板部３ａ及び側板部３ｂの外面が主にユーザの手で把持されるグリップ部として機能している（図４（ｂ）参照）。また、カバー体３は、上板部３ａの筐体３に対向する内面側及び下板部３ｃの内面側に軸部３ｆ、３ｇを夫々突設しており、上板部３ａの軸部３ｆを筐体２の上面２ｃに設けた穴部２ｇに挿入し（図２、図５（ａ）（ｂ）参照）、下板部３ｂの軸部３ｇを筐体２の下面２ｆ（図１（ａ）（ｂ）参照）に設けた穴部（図示せず）に挿入することで、カバー体３を回動して筐体３に対して開閉できるように連結している。よって、カバー体３の各軸部３ｆ、３ｇ及び筐体２の穴部２ｇが連結手段に相当し、カバー体３を閉じると筐体２の操作部１０をカバー体３で覆われ、カバー体３を開くと操作部１０が露出する。
【００２１】
さらに、カバー体３は、上板部３ａに撮像スイッチとしてシャッターボタン８（操作スイッチに相当）を設けており、具体的には、図４（ｂ）に示すように、カバー体３のグリップ部を把持するユーザの人差し指の指先が届く範囲にシャッターボタン８を配置している。このシャッターボタン８の配線は図示していないが、シャッターボタン８から延在する信号線又はＦＰＣ（Flexible Printed Circuit）を軸部３ｇの内部空洞（図５（ａ）（ｂ）参照）を通って筐体２の内部へ導いている。なお、導かれた信号線又はＦＰＣは、デジタルカメラ１の各種機能に対する制御を行うシステムコントローラと接続され、シャッターボタン８の押し下げ操作に基づき撮像が行われる。
【００２２】
さらにまた、図１（ａ）（ｂ）及び図２に示すようにカバー体３は、側板部３ｂの外面の下方に溝部３ｅを下端辺に沿って形成しており、この溝部３ｅに係止部６（第１係止手段に相当）をスライド可能に収めている。係止部６は一端に係止ツメ６ａを突設しており（図１（ｂ）参照）、図示しないバネにより係止部６はカバー体３の外方へ飛び出るように付勢されている。また、カバー体３は、側板部３ｂの外面の略中央箇所に逆Ｔ字状の収納穴３ｄを形成しており、この収納穴３ｄに挟持部材５（出入部材に相当）を出入自在に収納している。
【００２３】
挟持部材５は、図４（ａ）に示すように、軸部５ａ及び軸部５ａの一端側に連結された指当て部５ｂで全体がＴ字状に形成されており、軸部５ａの他端側はカバー体３に設けられた回転軸１２に取り付けられている。これにより、挟持部材５は、回転軸１２を回転中心としてカバー体３の収納穴３ｄに収まった状態（図２参照）と収納穴３ｄから出た状態（図４（ａ）参照）とを回転により出し入れされる。なお、指当て部５ｂの長手方向に直交する方向の幅寸法はカバー体３の側板部３ｂの厚み寸法に比べて大きいため、挟持部材５をカバー体３の収納穴３ｄに収めると、側板部３の内面側に少しはみ出た状態にして、外面側には飛び出ないようにしている（図２参照）。また、カバー体３を閉じた状態では、側板部３ｂの内面と筐体２との間に空間を確保できるようにして、この空間に上述した挟持部材５の収納穴３ｄからはみ出た部分を収めるようにしている。
【００２４】
挟持部材５を出した状態では、図４（ｂ）に示すように、カバー体３のグリップ部を把持するユーザの人差し指と中指の間に軸部５ａが挟まれると共に、指当て部５ｂが人差し指及び中指の背部に当たった状態になる。これにより、万が一、ユーザが手の疲れ等によりグリップ部を離してしまっても、挟持部材５が指の間に引っかかりデジタルカメラ１の落下を防止できる。また、グリップ部を把持するユーザの人差し指及び中指は挟持部材５の軸部５を挟むことで位置ズレが防止され、シャッターボタン８の操作時に指のズレによりシャッターチャンスを逃がすような事態が生じないようにしている。
【００２５】
一方、筐体２は図１（ａ）（ｂ）及び図５（ａ）（ｂ）に示すように、カバー体３を開いた状態で上面２ｂから突出し、カバー体３が閉じた状態で筐体内部に引っ込むロック部材７（第２係止手段に相当）を上面２ｂに形成した角穴２ｅに取り付けている。ロック部材７は四角柱状であり、筐体内部に収まる側の端部にはフランジ部７ａを設けており、このフランジ部７ａを筐体２のバネ保持部２ｈに保持されたバネ１３に当接させることで、ロック部材７を筐体２の外方へ付勢している。ロック部材７を嵌める角穴２ｅは、図３（ｂ）及び図５（ａ）に示すように、カバー体３が筐体２から９０度開いたときに、カバー体３の上板部３ａのロック部材７に対向する側面部３ｉがロック部材７の外面に当接できるような箇所に形成している。このようにロック部材７の外面がカバー体３の上板部３の側面部３ｉに当接することで、カバー体３は開いた状態が係止される。
【００２６】
ロック部材７による係止を解除するには、図５（ａ）に示すように、飛び出したロック部材７を筐体２の内部に押し込むことで、カバー体３は閉じることが可能になる。また、カバー体３を一旦閉じると、図５（ｂ）に示すようにロック部材７は上板部３ａの内面３ｋに押圧されて筐体２に押し込まれたままになるため、カバー体３を閉じる操作を妨げない。さらに、カバー体３を９０度開くと、ロック部材７は上板部３の内面３ｋの押圧から解放されてバネ１３により筐体２から飛び出し、カバー体３を開いた状態で係止する。
【００２７】
また、筐体２は、ロック部材７のフランジ部７ａに対向するように検知スイッチ１４を内部に配置しており、この検知スイッチ１４は筐体２に設けられた電池装着部２ｉに装着される電池１６からの給電の制御を行う電源制御部１５と配線ｄ１、ｄ２により接続されている。なお、電源制御部１５はデジタルカメラ１のシステムコントローラ１７とも接続され、システムコントローラ１７への給電を制御すると共に、図５（ａ）で示していない撮像に係る各部への給電も制御している。
【００２８】
検知スイッチ１４は、カバー体３が９０度開いた状態を検知する検知手段として機能している。具体的に検知スイッチ１４は図５（ａ）に示すように、カバー体３が開いてロック部材７が筐体２から飛び出すと、ロック部材７のフランジ部７ａに当接し、この当接に伴い信号を電源制御部１５へ伝送する。また、検知スイッチ１４は図５（ｂ）に示すように、カバー体３が閉じられてロック部材７が筐体内部へ押し込まれると、フランジ部７ａと当接しなくなり信号も電源制御部１５へ伝送しなくなる。よって電源制御部１５は検知スイッチ１４からの信号を受けるとカバー体３が９０度開いたと判断し、信号を受け取らないときはカバー体３が９０度開いていないと判断している。
【００２９】
電源制御部１５は、カバー体３が９０度開いたと判断した場合、電源スイッチがオンされたときと同様に各部へ給電を行い、デジタルカメラ１が有する撮像及び再生等の各種機能を使用できる状態（スタンバイ状態）にし、９０度開いていないと判断した場合、電源スイッチがオフされたときと同様に各部への給電を停止するように制御を行う。
【００３０】
さらに、筐体２は、図１（ｂ）に示すように、カバー体３を閉じたときに係止部６の係止ツメ６ａと対向する箇所に係止凹部２ｄを凹設しており、カバー体３の係止ツメ６ａはカバー体３が閉じられた場合、図示しないバネの付勢により係止凹部２ｄと係合して、カバー体３が開かないようにロックする。このロックを解除するには、図３（ａ）に示すように係止部６を図中の矢印方向へ付勢に抗してスライド移動させて係止ツメを係止凹部２ｄから抜き出すことで行う。
【００３１】
上述したように、第１実施形態に係るデジタルカメラ１は、不使用時及び携帯時等には図２及び図３（ａ）に示すようにカバー体３を閉じるため、筐体２の外形寸法が大きくなることを防止して携帯性を高めると共に、操作部１０を覆い不用意に操作部１０が操作されることを防止している。また、使用時には、図３（ｂ）に示すようにカバー体３を開き、さらに図３（ｃ）に示すように挟持部材５を取り出すことにより、筐体２の外形寸法を大きくしてユーザが把持しやすくすると共に、挟持部材５により使用性及び操作性も高めている。さらにまた、カバー体３が開くと自動的にスタンバイ状態になるため使用性が向上し、カバー体３を閉じると自動的に電源がオフされるため、無駄に電池を使用することもなくなる。
【００３２】
なお、第１実施形態に係る構成は、デジタルカメラ以外のデジタルビデオカメラ、撮像機能を備えた携帯電話器、及び撮像機能を備えたＰＤＡ等といった様々な撮像装置にも好適であり、さらに、撮像を行わない音楽再生装置、映像表示装置、及びパーソナルコンピュータ等の各種携帯電気機器にも勿論適用可能である。
【００３３】
図６（ａ）（ｂ）は、本発明の第２実施形態に係る撮像装置であるデジタルカメラ２１（携帯電気機器に相当）の斜視図であり、図６（ａ）はカバー体２３を閉じた状態を示し、図６（ｂ）はカバー体２３を開いた状態を示す。第２実施形態のデジタルカメラ２１は、カバー体２３を筐体２２に対してスライド式に開閉できるようにカバー体２３と筐体２２とを連結していることが特徴である。
【００３４】
筐体２２は、カバー体２３で背面２２ｃ、上面２２ｂ及び下面２２ｆの一部を覆われ、上面２２ｂ及び下面２２ｆのカバー体２３で覆われる部分にレール部２８、２９を夫々突設している。また、筐体２２は、図５（ａ）（ｂ）と同様の構成のロック部材２７を上面２２ｂのカバー体２３に覆われる端部付近に設けており、背面２２ｃのカバー体２３で覆われない下端中央付近に係止凹部２２ｄを凹設している。
【００３５】
一方、カバー体２３は、上板部２３ａ、側板部２３ｂ及び下板部２３ｃに加えて、図６（ａ）（ｂ）中の右側方を閉じる壁板部２３ｍを設けた形状にしており、第２実施形態では、カバー体２３の上板部２３ａ及び壁板部２３ｍの外面が主にグリップ部として機能する。また、カバー体２３は、上板部２３ａの内面２３ｎ及び下板部２３ｃの内面２３ｑに、筐体２２のレール部２８、２９に対応するレール溝２３ｐ、２３ｒを夫々凹設している（図６（ａ）参照）。よって、レール部２８、２９がレール溝２３ｐ、２３ｒに収まることで、カバー体２３は、レール部２８、２９に沿って筐体２２に対し開閉できる構成になっている。
【００３６】
さらに、カバー体２３は上板部２３ａにロック穴２３ｓを穿設しており、カバー体２３が最も開いた状態では、ロック穴２３ｓに筐体２２から飛び出すロック部材２７が嵌合し、カバー体２３の開いた状態を係止するようにしている。なお、ロック部材２７による係止の解除は第１実施形態と同様であり、ロック部材２７を押し込むことにより、カバー体２３を閉めることが可能になる。また、カバー体２３の閉じた状態は、第１実施形態と構成が異なる係止部２６によりカバー体２３が筐体２２に係止されるようにしている。第２実施形態の係止部２６は先端に筐体２２の係止凹部２２ｄに係合する係止ツメ２６ａを設けており（図６（ｂ）参照）、係止ツメ２６ａを設けた反対側の端部をカバー体２３へ回転可能に取り付けている。この係止部２６は図示しないバネで閉じる方向（図６（ａ）の矢印と反対方向）に付勢されており、カバー体２３を閉じた状態では、バネの付勢により係止部２６の係止ツメ２６ａが筐体２２の係止凹部２２ｄに係合し、カバー体２３を係止する。また、カバー体２３を開くには、係止部２６を図６（ａ）中の矢印方向に回転することで、係止ツメ２６ａと係止凹部２２ｄとの係合を解除し、カバー体２３を図６（ｂ）中の矢印方向へスライド移動させる。
【００３７】
なお、第２実施形態のデジタルカメラ２１では、カバー体２３に第１実施形態に示したような挟持部材を設けていないが、勿論カバー体２３に出入自在な挟持部材を設けることは可能である。また、上述した以外の構成は第１実施形態と同様であるため説明を省略すると共に、第２実施形態の構成もデジタルカメラ２１以外に、第１実施形態で述べた様々な撮像装置及び携帯電気機器に適用できる。
【００３８】
図７（ａ）（ｂ）（ｃ）は、本発明の第３実施形態に係る撮像装置であるデジタルカメラ３１（携帯電気機器に相当）の上面側からの概略図である。第３実施形態のデジタルカメラ３１は、カバー体３３を筐体３２に対してスライドさせると共に９０度の範囲で開閉できるようにカバー体３３と筐体３２とを連結していることが特徴である。
【００３９】
筐体３２は、カバー体３３で背面３２ｃ、上面３２ｂ及び下面（図示せず）の一部が覆われ、上面３２ｂ及び下面（図示せず）のカバー体３３で覆われる部分にレール溝部４２を夫々凹設すると共に、レール溝部４２に収まった状態から外方へ突出できるようにレール部４１をレール溝部４２にスライド自在に取り付けている。また、上下のレール部４１には、突出側の端部にカバー体３３を連結する穴部（図示せず。第１実施形態の穴部２ｇに相当）を形成し、上面３２ｂ側のレール部４１には図５（ａ）（ｂ）に示すような構造のロック部材４７を設けている。
【００４０】
一方、カバー体３３は、基本的に第１実施形態と同等の構成であり上下板部の内面に設けた軸部３３ｆを上下のレール部４１の上述した穴部に嵌合することで、カバー体３３をレール部４１を介して筐体３２に連結している。なお、第３実施形態のデジタルカメラ３１は、カバー体３３の閉じた状態を係止部３６（図７（ａ）参照）で筐体３２へ係止する係止構造に関しては第２実施形態と同様であり、その他に関しては第１実施形態と同等の構成であるため説明を省略する。
【００４１】
第３実施形態のデジタルカメラ３１において、カバー体３３を閉じた状態から開くには、先ず図７（ａ）に示すように、係止部３６を図中の矢印方向に回転させて係止を解除し、次に、図７（ｂ）に示すようにカバー体３３を筐体３２に対してスライド移動させる。なお、このスライド移動では、レール部４１がレール溝部４２から引き出された状態になる。最後に図７（ｃ）に示すように、カバー体３３を軸部３３ｆを中心に回転させることでカバー体３３は筐体３２に対し完全に開いた状態になり、９０度開いた状態でロック部材４７によりカバー体３３は係止される。このように第３実施形態のデジタルカメラ３１は、図７（ｃ）に示すカバー体３３を完全に開いた状態では、図７（ａ）に示すカバー体３３を閉じた状態に比べて装置の外形寸法が大幅に大型化されるため、特に筐体が小さい場合でも良好な把持性を確保できる。
【００４２】
なお、第３実施形態のデジタルカメラ３１では、カバー体３３に第１実施形態に示したような挟持部材及び操作スイッチ（第１実施形態ではシャッターボタン８に相当）を設けていないが、勿論カバー体３３に出入自在な挟持部材、操作スイッチを設けることは可能である。また、第３実施形態の構成もデジタルカメラ３１以外に、第１実施形態で述べた様々な撮像装置及び携帯電気機器に適用できる。
【図面の簡単な説明】
【００４３】
【図１】本発明の第１実施形態に係るカバー体を開いた状態のデジタルカメラであり、（ａ）は前面側からの斜視図、（ｂ）は背面側からの斜視図である。
【図２】第１実施形態のデジタルカメラのカバー体を閉じた状態を示す背面側からの斜視図である。
【図３】（ａ）はカバー体を閉じた状態の概略図、（ｂ）はカバー体を開いた状態の概略図、（ｃ）は挟持部材を出した状態の概略図である。
【図４】（ａ）は挟持部材を示す要部概略図、（ｂ）はユーザの把持状態を示す概略図である。
【図５】（ａ）は図３（ｂ）のＡ−Ａ線における概略断面図、（ｂ）は図３（ａ）のＢ−Ｂ線における概略断面図である。
【図６】第２実施形態に係るデジタルカメラであり、（ａ）はカバー体を閉じた状態を示す斜視図、（ｂ）はカバー体を開いた状態を示す斜視図である。
【図７】第３実施形態に係るデジタルカメラであり、（ａ）はカバー体を閉じた状態の概略図、（ｂ）はカバー体をスライドさせた状態の概略図、（ｃ）はカバー体を開いた状態の概略図である。
【符号の説明】
【００４４】
１、２１、３１  デジタルカメラ
２、２２、３２  筐体
２ｉ  電池装着部
３、２３、３３  カバー体
５  挟持部材
６、２６、３６  係止部
７、２７、４７  ロック部材
８  シャッターボタン
１０  操作部
１５  電源制御部
１６  電池
【図１】
2005338181.tif 000003
【図２】
2005338181.tif 000004
【図３】
2005338181.tif 000005
【図４】
2005338181.tif 000006
【図５】
2005338181.tif 000007
【図６】
2005338181.tif 000008
【図７】
2005338181.tif 000009